(57)【要約】【課題】前後方向に狭いスペースに設置ができ且つひな壇形状の陳列面を形成できる商品陳列台を提供すること。【解決手段】棒状又はパイプ状の前脚２１を有する脚部２と、脚部２に付設される商品陳列板１を有する商品陳列台１０であって、前脚２１は、商品陳列板１を前方下り傾斜で貫通する。【選択図】図１
0003206014.tif 000002
【実用新案登録請求の範囲】
【請求項１】
棒状又はパイプ状の前脚を有する脚部と、脚部に付設される商品陳列板を有する商品陳列台であって、
該前脚は、該商品陳列板を前方下り傾斜で貫通することを特徴とする商品陳列台。
【請求項２】
該商品陳列板には、貫通孔が形成され、該前脚は、該貫通孔に挿通されていることを特徴とする請求項１記載の商品陳列台。
【請求項３】
該商品陳列板には、後方端から前方へ向けて切り欠きが形成され、該前脚は、該切り欠きに挿通されていることを特徴とする請求項１記載の商品陳列台。
【請求項４】
該商品陳列板は、該脚部の中段に位置するものであることを特徴とする請求項１〜３のいずれか１項に記載の商品陳列台。
【請求項５】
更に天板を有し、ひな壇形状の陳列面を形成することを特徴とする請求項１〜４のいずれか１項に記載の商品陳列台。
【請求項６】
該天板と該天板に隣接する下方の商品陳列板は、平面視において、一部がオーバーラップしていることを特徴とする請求項５記載の商品陳列台。
【請求項７】
該天板は、後方端から前方へ向けて切り欠かれた切欠部を有し、該切欠部に該前脚の上部が嵌り、該前脚は、該天板の天面より上方に突出しないものであることを特徴とする請求項５又は６記載の商品陳列台。
【請求項８】
該天板と該商品陳列板は同一形状物であることを特徴とする請求項５〜７のいずれか１項に記載の商品陳列台。
【請求項９】
該前脚は左右一対であり、いずれも該商品陳列板を前方下り傾斜で貫通することを特徴とする請求項１〜８のいずれか１項に記載の商品陳列台。
【考案の詳細な説明】
【技術分野】
【０００１】
本考案は、前後方向に狭いスペースであっても、陳列面を大きく採れる商品陳列台に関するものである。
【背景技術】
【０００２】
スーパーやコンビニ等において、時間帯によっては、レジに長い行列ができることがある。このようなレジ待ちの顧客の目を惹くために、レジ回りには、比較的小サイズのポイントの高い販促商品や目玉商品等が所狭しと陳列されている。これは、レジ待ちの時間に、レジ回りの商品に顧客の手が伸びることを期待しているものである。
【０００３】
レジ回りの商品陳列具としては、例えば特開２０１２-０８０９２９号公報には、商品を入れた陳列補助具を吊り下げて陳列する帯状のシート部を備える陳列用吊り下げ具であって、該帯状のシート部には、長手方向に所定のピッチで多数の起立状のフック部が形成され、該フック部の直下で且つ近傍には、該シート面から上方に突出する爪部を形成したことを特徴とする陳列用吊り下げ具が開示されている。この陳列用吊り下げ具は、商品を入れたポケット状あるいは箱状容器等の陳列補助具を吊り下げて使用する。
【０００４】
一方、一般的な陳列手法として、ひな壇形状（段差形状）の陳列棚は、陳列面積を大きく採れ、且つ陳列の演出を高める点で、種々のものが提案され、広く知られている（特開２００３-１３５２３０号、特開２００４-２８３４５３号、特開２００５-１５２３８９号、特開２００５-２１１３７１号、特開２００５-３３４６１３号、特開２００６-０１５０４３号、特開２００６-０３４５５２号、特開２００６-１４１６６４号）。
【考案の概要】
【考案が解決しようとする課題】
【０００５】
しかしながら、従来の陳列用吊り下げ具は、ポケットあるいは箱状容器に入らない商品は陳列できない。また、商品の陳列の演出を高めるため、ひな壇状の商品陳列台をレジ回りに置くにしても、設置スペースを確保できず、実質的に設置できない。従って、レジ回りのような狭いスペースにも設置でき且つひな壇形状の陳列面を形成できる商品陳列台の開発が望まれていた。
【０００６】
従って、本考案の目的は、前後方向に狭いスペースに設置ができ且つひな壇形状の陳列面を形成できる商品陳列台を提供することにある。
【課題を解決するための手段】
【０００７】
かかる実情において、本考案者は鋭意検討を行った結果、前下がり傾斜の前脚が、商品陳列板を貫通するように設置すれば、前脚の後方にも陳列面を形成でき、且つ天板を直下の商品陳列板に対して、平面視で一部がオーバーラップするように設置すれば、奥行が小さなひな壇形状の陳列面を形成できること等を見出し、本考案を完成するに至った。
【０００８】
すなわち、本考案は、棒状又はパイプ状の前脚を有する脚部と、脚部に付設される商品陳列板を有する商品陳列台であって、該前脚は、該商品陳列板を前方下り傾斜で貫通することを特徴とする商品陳列台を提供するものである。
【０００９】
また、本考案は、該商品陳列板には、貫通孔が形成され、該前脚は、該貫通孔に挿通されていることを特徴とする前記商品陳列台を提供するものである。
【００１０】
また、本考案は、該商品陳列板には、後方端から前方へ向けて切り欠きが形成され、該前脚は、該切り欠きに挿通されていることを特徴とする請求項１記載の商品陳列台を提供するものである。
【００１１】
また、本考案は、該商品陳列板は、該脚部の中段に位置するものであることを特徴とする前記商品陳列台を提供するものである。
【００１２】
また、本考案は、更に天板を有し、ひな壇形状の陳列面を形成することを特徴とする前記商品陳列台を提供するものである。
【００１３】
また、本考案は、該天板と該天板に隣接する下方の商品陳列板は、平面視において、一部がオーバーラックしていることを特徴とする前記商品陳列台を提供するものである。
【００１４】
また、本考案は、該天板は、後方端から前方へ向けて切り欠かれた切欠部を有し、該切欠部に該前脚の上部が嵌り、該前脚は、該天板の天面より上方に突出しないものであることを特徴とする前記商品陳列台を提供するものである。
【００１５】
また、本考案は、該天板と該商品陳列板は同一形状物であることを特徴とする前記商品陳列台を提供するものである。
【００１６】
また、本考案は、該前脚は左右一対であり、いずれも該商品陳列板を前方下り傾斜で貫通することを特徴とする前記商品陳列台を提供するものである。
【考案の効果】
【００１７】
本考案によれば、前後方向の狭いスペースに設置ができ且つひな壇形状の陳列面を形成できる。また、本考案によれば、前脚の後方にも陳列面が広がっており、商品陳列板当たりの陳列面積を大きくすることができる。
【図面の簡単な説明】
【００１８】
【図１】本考案の第１の実施の形態における商品陳列台の斜視図である。
【図２】図１の商品陳列台の分解斜視図である。
【図３】図１の商品陳列台の側面図である。
【図４】図３の商品陳列台の右側脚部の手前で切断した断面図である。
【図５】本考案の第２の実施の形態における商品陳列台の斜視図である。
【図６】本考案の第３の実施の形態における商品陳列台の斜視図である。
【図７】図６の商品陳列台の側面図である。
【図８】本考案の第４の実施の形態における商品陳列台の斜視図である。
【図９】図５の商品陳列台で使用する商品陳列板の斜視図である。
【図１０】図１の商品陳列台で使用する商品陳列板の斜視図である。
【図１１】本考案の第５の実施の形態における商品陳列台の斜視図である。
【考案を実施するための形態】
【００１９】
次に、本考案の第１の実施の形態における商品陳列台について、図１〜図４を参照して説明する。本明細書中、顧客側（図１中、符号Ｆ）が前方であり、その反対側が後方である。商品陳列台１０は、棒状又はパイプ状の前脚２１と後脚２２を有する脚部２と、脚部２に付設される下段の商品陳列板１を有し、前脚２１は、商品陳列板１を前方下り傾斜で貫通している。
【００２０】
本考案において、「貫通」とは、商品陳列板１に形成された貫通孔に前脚が挿通される場合と、商品陳列板１に形成された後方端から前方へ向けて切り欠きが形成され、この切り欠きに前脚が挿通される場合を含む意味である。図１〜図４の商品陳列台１０では、後者の場合である。
【００２１】
すなわち、商品陳列台１０において、商品陳列板１は、脚部２の中段に位置するものであり、厚みを有する略板状体であり、長手方向の左右２箇所に、後方端から前方へ向けて切り欠き３が形成されるものである。切り欠き３は、商品陳列板１を左右一対の前脚２１間に差渡される下部連結部材２４に嵌め込んだ際及び取り外しの際、障害とならないよう寸法が決定される。また、切り欠き３の奥行寸法は、商品陳列板１の前後方向の中央、好ましくは前後幅寸法の１/３程度まで延びているものが、前脚の後方側にも大きく陳列面が採れる点で好ましい。切り欠き３の奥行寸法が長すぎると、強度を保てなくなり、また商品の陳列に支障をきたす。なお、前脚２１は、切り欠き３の前方側、すなわち、切り欠き３の奥に入り込むようにする。これにより、前脚２１と商品陳列板１間に隙間がなくなり、商品の陳列に都合がよい。
【００２２】
商品陳列板１は、丸太を縦割りした半円断面形状であり、商品陳列の演出を高めることができる。また、商品陳列板１の裏面には、下部連結部材２４と嵌合する断面が略コ字形状のフック金具７が形成されている（図１０参照）。すなわち、フック金具７の形状は、下部連結部材２４の形状に対応する。これにより、商品陳列板１を脚部２に取り付け又は取り外すことができる。
【００２３】
本考案において、脚部は前脚を有していればよい。本例の脚部２は左右一対の前脚２１と左右一対の後脚２２を有する。後脚２２は、主脚である前下がり傾斜の前脚２１の中間位置から後方下がり傾斜で延びるものである。前脚２１の上部は、傾斜部２１１の上端から後方に延びる水平部２１２を形成している。これにより、天板５を取り付けた際、天板５の天面と前脚２１の水平部２１２の天面が面一となる。また、左右一対の前脚２１、２１間には、天板５が取り付けられる上部連結部材２３が形成されている。
【００２４】
商品陳列台１０は、更に天板５を有している。天板５は、中段の商品陳列板１と同一形状物であり、商品陳列板１と同様に、後方端から前方へ向けて切り欠かれた切欠部４を有し、切欠部４に前脚２１の水平部２１２が嵌り、前脚２１が、天板５の天面１１より上方に突出しないようにしている。また、天板５の裏面には、商品陳列板１と同様のフック金具が形成されている。
【００２５】
商品陳列台１０は、ひな壇形状の陳列面を形成している。また、前脚２１が商品陳列板１を前方下り傾斜で貫通している。このため、天板５と天板５に隣接する下方（中段）の商品陳列板１は、平面視において、一部がオーバーラップしている。すなわち、天板５の前方部と商品陳列板１の後方部とがオーバーラップする。これにより、商品陳列台１０の奥行長さを小さく採れ、ひな壇形状の陳列面を形成するものでありながら、前後方向の狭いスペースに設置が可能となる。また、中段の商品陳列板１は、前脚２１の後方（前脚２１の真後ろは除く）にも陳列面が広がっており（図３中、符号ｗ）、商品陳列板当たりの陳列面積を大きくすることができる。
【００２６】
次に、本考案の第２の実施の形態における商品陳列台を図５を参照して説明する。図５において、図１〜図４と同一構成要素には同一符号を付してその説明を省略し、異なる点について、主に説明する。すなわち、図５の商品陳列台１０ａにおいて、図１〜図４の商品陳列台１０と異なる点は、天板５を省略した点及び商品陳列板の形状を変えた点である。
【００２７】
商品陳列台１０ａは、天板がなく、商品陳列板１ａのみであり、ひな壇形状ではないものの、天板を取り付けることで、ひな壇形状になるため、ひな壇形状の中間体となることができる。商品陳列台１０ａの商品陳列板１ａは、矩形断面の板状体である。商品陳列板１ａの裏面には、商品陳列板１と同様の、フック金具７を有する（図９参照）。商品陳列台１０ａは、商品陳列台１０と同様の作用効果を奏する。
【００２８】
次に、本考案の第３の実施の形態における商品陳列台を図６及び図７を参照して説明する。図６及び図７において、図１〜図４と同一構成要素には同一符号を付してその説明を省略し、異なる点について、主に説明する。すなわち、図６及び図７の商品陳列台１０ｂにおいて、図１〜図４の商品陳列台１０と異なる点は、商品陳列板及び天板の形状を変えた点である。商品陳列台１０ｂの商品陳列板１ａ及び天板５ａは、矩形断面の板状体である。商品陳列台１０ｂは、商品陳列台１０と同様の作用効果を奏する。
【００２９】
次に、本考案の第４の実施の形態における商品陳列台を図８を参照して説明する。図８において、図１〜図４と同一構成要素には同一符号を付してその説明を省略し、異なる点について、主に説明する。すなわち、図８の商品陳列台１０ｃにおいて、図１〜図４の商品陳列台１０と異なる点は、商品陳列板の設置数及び商品陳列板と天板の形状を変えた点である。商品陳列台１０ｃの商品陳列板１ａ及び天板５ａは、矩形断面の板状体である。また、天板５ａより下方に、２つの商品陳列板１ａ、１ｂを形成した点にある。すなわち、商品陳列台１０ｃは、３段のひな壇形状である。商品陳列台１０ｃは、商品陳列台１０と同様の作用効果を奏する。
【００３０】
次に、本考案の第５の実施の形態における商品陳列台を図１１を参照して説明する。図１１において、図５と同一構成要素には同一符号を付してその説明を省略し、異なる点について、主に説明する。すなわち、図１１の商品陳列台１０ｄにおいて、図５の商品陳列台１０と異なる点は、商品陳列板の切り欠きの形状を変えた点である。すなわち、商品陳列板１ｃには、左右で２つの貫通孔３ａ、３ａが形成され、前脚２１、２１は、この貫通孔３ａ、３ａに前下がり傾斜で挿通されている。商品陳列台１ｄによれば、前脚２１から商品陳列板１ｃを取り外す際、前脚２１を上方へ引き上げる点で、やや不便ではあるものの、商品陳列台１０ａと同様の作用効果を奏する。また、商品陳列板１ｃは商品陳列板１に比して、陳列面積を大きく採れる。
【００３１】
本考案は、上記実施の形態例に限定されず、種々の変形を採ることができる。すなわち、本考案において、脚部は、左右一対の前脚と左右一対の後脚であるが、例えば、それぞれ左右３本であってもよく、また、左右一対の後脚が各々２本の合計４本であってもよい。また、ひな壇の段差は２段又は３段に限定されず、４段以上であってもよい。また、商品陳列板及び天板は上記実施の形態例に限定されず、前端形状が平面視で不定形状のものであってもよい。また、脚部は、折り畳みができるものであってもよい。すなわち、図２において、前脚に対する後脚の接続を、前脚の固定軸に対して回転自在に接続する公知の方法を採用すればよい。
【産業上の利用可能性】
【００３２】
本考案によれば、スーパーやコンビニのレジ回りの前後方向の狭い床面スペースに設置ができ且つひな壇形状の陳列面を形成でき、ポイントの高い販促商品等を多く陳列することができる。また、前脚の後方にも陳列面が広がっており、商品陳列板当たりの陳列面積を大きくすることができる。
【符号の説明】
【００３３】
１、１ａ〜１ｃ  商品陳列板
２  脚部
３  切り欠き
３ａ  貫通孔
４  切欠部
５、５ａ  天板
１０、１０ａ〜１０ｄ  商品陳列台
２１  前脚
２２  後脚
２３  上部連結部
２４  下部連結部材 
【図１】
0003206014.tif 000003
【図２】
0003206014.tif 000004
【図３】
0003206014.tif 000005
【図４】
0003206014.tif 000006
【図５】
0003206014.tif 000007
【図６】
0003206014.tif 000008
【図７】
0003206014.tif 000009
【図８】
0003206014.tif 000010
【図９】
0003206014.tif 000011
【図１０】
0003206014.tif 000012
【図１１】
0003206014.tif 000013